(57)【特許請求の範囲】
【請求項１】
送風機１８を内蔵し、上面１ａに排出口１４を有するフード本体１と、
上面２ａと下面２ｂに開口した排気用風路及び上面２ａと前面２ｃに開口した給気用風路を有し、前記フード本体１の上面１ａに、その排気用風路が前記排出口１４と連通して着脱自在に取付けられる給排気ボックス２と、
前記フード本体１の上面１ａに取付けられ、給気口２９を有する幕板３と、
前記フード本体１の上面に給排気ボックス２を取付けた場合には、その給排気ボックス２の上面２ａに、その排気用風路と連続して取付けられ、前記フード本体１の上面１ａに給排気ボックス２を取付けない場合には、そのフード本体１の上面１ａに、その排出口１４と連続して取付けられる排気継手４と、
前記給排気ボックス２の上面２ａに、給気用風路と連続して取付けられる給気継手５を備え、
前記排気継手４と給気継手５は、電動式シャッタを有するものと、電動式シャッタを有しない常時連通のものの２種類を備えているレンジフードであって、
前記フード本体１に取付けられる操作パネル５０、配線ボックス５２と、
前記操作パネル５０の操作信号を配線ボックス５２に伝達する手段と、
前記送風機１８の電動モータ２１と前記配線ボックス５２とに亘って接続された送風機接続用コード６２と、
前記配線ボックス５２に着脱自在に接続される接続コード部材６５とを備え、
この接続コード部材６５を、電源接続コード６７と排気シャッタ用接続コード６８と給気シャッタ用接続コード６９を備えた第１の接続コード部材６５−１と、電源接続コード６７と排気シャッタ用接続コード６８を備えた第２の接続コード部材６５−２と、電源接続コード６７と給気シャッタ用接続コード６９を備えた第３の接続コード部材６５−３と、電源接続コード６７を備えた第４の接続コード部材６５−４より構成したことを特徴とするレンジフード。
【発明の詳細な説明】
【０００１】
【発明の属する技術分野】
本発明は、厨房内においてガスレンジ等の上方に配置され、調理時に発生する廃ガスや油煙等を捕集して室内の空気とともに室外に排出するレンジフードに関する。
【０００２】
【従来の技術】
厨房内に配置されるレンジフードは、フード本体と排気用ファンユニットとを備えたものであり、調理時に発生する廃ガスや油煙等を捕集して室外に排出する。
【０００３】
最近の住宅は省エネの観点や、ツーバイ工法、パネル工法等の建築工法も関連して、室内の高気密化が進んで来た。特に寒冷地の住宅は室内を高気密化して冬季の暖房効果を向上している。
【０００４】
前述のように、レンジフードにより調理時に発生する廃ガスや油煙等を室外に排気する際に室内の空気も室外に排出されるので、前述のように室内が高気密化された住宅においては排出された排気量に見合った外気を室内に取入れできず、十分な排気（または換気・レンジフード）性能が発揮できないし、室内の気圧が低下してドアの開閉が重くなると共に、酸欠が生じたりすることがある。
【０００５】
一般の地域では冬季でも窓を開けたり、通気口を開いて外気の取り外れができるので、前述のレンジフードを使用できるが、寒冷地等では冬季に窓を開けたり、通気口を開けることは実際上行われないので外気の室内取入れ量不足による前述のことが起る。
【０００６】
このようなことから、調理時に発生する廃ガス、油煙等を室外に排出すると同時に室外の空気を室内に取り入れる給気手段を備えた給排気式レンジフードが種々提案されている。
例えば、実開昭５７−１３０１３９号公報、実開昭５７−１３０１８３８号公報、実開昭５７−１３０１３７号公報などに示された給排気式レンジフードが提案されている。
【０００７】
前述の標準的レンジフードにおいては送風機を停止した未使用時に排気経路、給排気式レンジフードにおいては送風機を停止したレンジフードの未使用時に、排気経路と給気経路から外気が室内に流れ込み室内の冷暖房効果を低減することがある。特に寒冷地においては冬季に室外温度と室内温度との温度差が大きく、外気が室内に流れ込んで室内温度を低下するので、室内の暖房効果を著しく低減する。
【０００８】
このことを解消するために、前述のレンジフードにおいては排気経路、給気経路に電動式シャッタを取付け、レンジフード未使用時に電動式シャッタを閉じ作動して排気経路、給気経路を遮断して外気が室内に流入しないようにしている。
【０００９】
前述のレンジフードの操作装置としては、フード本体に操作パネルを取付け、この操作パネルと送風機の電動モータ、電動式シャッタの電動モータを配線で接続し、操作パネルのスイッチを操作することで各電動モータを駆動・停止するものが知られている。
【００１０】
【発明が解決しようとする課題】
レンジフードの操作装置は前述のようであるし、レンジフードとしては標準的レンジフード、給排気式レンジフード、電動式排気シャッタを備えた標準的レンジフード、電動式排気シャッタを備えた給排気式レンジフード、電動式給気シャッタを備えた給排気式レンジフード、電動式排気シャッタと電動式給気シャッタを備えた給排気式レンジフードなど種々の型式のものがある。
【００１１】
このために、種々の型式のレンジフードに対応する操作装置を製作準備し、レンジフード組立時にその型式のレンジフードに対応する操作装置を取付けるので、部品点数が多く、製作・保管等が面倒であってコスト高となる。
【００１２】
また、前述の給気及び排気機能を有する給排気式レンジフードはフード本体内に給気風路を構成しているために、この給排気式レンジフードと前述の排気機能だけの標準的レンジフードとは構造が異なり、給排気式レンジフードと標準的レンジフードは別々に製作しているし、電動式シャッタを有するレンジフードと有しないレンジフードをそれぞれ製作している。
【００１３】
このために、複数種類のレンジフードを製作、輸送、販売、据付けるので、その管理が大変面倒となるし、使用者の希望によりレンジフードを他のレンジフードに交換するには既設のレンジフードを取り外し、新らしく他のレンジフードを取付ける必要がある。
【００１４】
そこで、本発明の前述の課題を解決できるようにしたレンジフードを提供することを目的とする。
【００１５】
【課題を解決するための手段】
本発明は、送風機１８を内蔵し、上面１ａに排出口１４を有するフード本体１と、
上面２ａと下面２ｂに開口した排気用風路及び上面２ａと前面２ｃに開口した給気用風路を有し、前記フード本体１の上面１ａに、その排気用風路が前記排出口１４と連通して着脱自在に取付けられる給排気ボックス２と、
前記フード本体１の上面１ａに取付けられ、給気口２９を有する幕板３と、
前記フード本体１の上面に給排気ボックス２を取付けた場合には、その給排気ボックス２の上面２ａに、その排気用風路と連続して取付けられ、前記フード本体１の上面１ａに給排気ボックス２を取付けない場合には、そのフード本体１の上面１ａに、その排出口１４と連続して取付けられる排気継手４と、
前記給排気ボックス２の上面２ａに、給気用風路と連続して取付けられる給気継手５を備え、
前記排気継手４と給気継手５は、電動式シャッタを有するものと、電動式シャッタを有しない常時連通のものの２種類を備えているレンジフードであって、
前記フード本体１に取付けられる操作パネル５０、配線ボックス５２と、
前記操作パネル５０の操作信号を配線ボックス５２に伝達する手段と、
前記送風機１８の電動モータ２１と前記配線ボックス５２とに亘って接続された送風機接続用コード６２と、
前記配線ボックス５２に着脱自在に接続される接続コード部材６５とを備え、
この接続コード部材６５を、電源接続コード６７と排気シャッタ用接続コード６８と給気シャッタ用接続コード６９を備えた第１の接続コード部材６５−１と、電源接続コード６７と排気シャッタ用接続コード６８を備えた第２の接続コード部材６５−２と、電源接続コード６７と給気シャッタ用接続コード６９を備えた第３の接続コード部材６５−３と、電源接続コード６７を備えた第４の接続コード部材６５−４より構成したことを特徴とするレンジフードである。
【００１７】
【作用】
本発明によれば、フード本体１の上面１ａに常時連通の排気継手４を取付ければ、常時連通の標準的レンジフードとなる。
フード本体１の上面１ａに電動式シャッタを有する排気継手４を取付ければ、電動式排気シャッタ付きの標準的レンジフードとなる。
フード本体１の上面に給排気ボックス２を取付け、その給排気ボックス２の上面２ａに常時連通の排気継手４、常時連通の給気継手５を取付ければ、常時連通の給排気式レンジフードとなる。
フード本体１の上面に給排気ボックス２を取付け、その給排気ボックス２の上面２ａに電動式シャッタを有する排気継手４、常時連通の給気継手５を取付ければ、電動式排気シャッター付きの給排気式レンジフードとなる。
フード本体１の上面に給排気ボックス２を取付け、その給排気ボックス２の上面に常時連通の排気継手４、電動式シャッタを有する給気継手５を取付ければ、電動式吸気シャッタ付きの給排気式レンジフードとなる。
フード本体１の上面に給排気ボックス２を取付け、その給排気ボックス２の上面に電動式シャッタを有する排気継手４、電動式シャッタを有する給気継手５を取付ければ、電動式排気・吸気シャッタ付きの給排気式レンジフードとなる。
【００１８】
このようであるから、フード本体１、給排気ボックス２、幕板３、常時連通の排気継手４、電動式シャッタを有する排気継手４、常時連通の給気継手５、電動式シャッタを有する給気継手５を製作し、それらを組立てることで常時連通の標準的レンジフード、電動式排気シャッタ付きの標準的レンジフード、常時連通の給排気式レンジフード、電動式排気シャッタ付きの給排気式レンジフード、電動式給気シャッタ付きの給排気式レンジフード、電動式吸気・排気シャッタ付きの給排気式レンジフードとすることができ、その管理が簡単となる。
また、フード本体１が共通であるから既設のレンジフードを簡単に他のレンジフードに変更できる。
【００１９】
また、電動式排気給気シャッタ付きの給排気式レンジフードの場合には操作パネル５０、配線ボックス５２、伝達手段と第１の接続コード部材６５−１を用いれば操作パネル５０を操作することで各電動モータに通電制御してレンジフードを運転できる。
【００２０】
また、電動式排気シャッタ付きの標準的レンジフード、電動式排気シャッタ付きの給排気式レンジフードの場合には操作パネル５０、配線ボックス５２、伝達手段と第２の接続コード部材６５−２を用いれば操作パネル５０を操作することで各電動モータに通電制御してレンジフードを運転できる。
【００２１】
また、電動式給気シャッタ付きの給排気式レンジフードの場合には操作パネル５０、配線ボックス５２、伝達手段と第３の接続コード部材６５−３を用いれば操作パネル５０を操作することで各電動モータに通電制御してレンジフードを運転できる。
【００２２】
また、常時連通の標準的レンジフード、常時連通の給排気式レンジフードの場合には操作パネル５０、配線ボックス５２、伝達手段と第４の接続コード部材６５−４を用いればレンジフードを運転できる。
【００２３】
これにより、常時連通の標準的レンジフード、常時連通の給排気式レンジフード、電動式排気シャッタ付きの標準的レンジフード、連動式排気シャッタ付きの給排気式レンジフード、電動式給気シャッタ付きの給排気式レンジフード、電動式排気給気シャッタ付きの給排気式レンジフードの６種類のレンジフードの操作装置を、操作パネル５０、接続ボックス５２、伝達手段を共通として第１，第２，第３，第４の接続コード部材のいずれかを選択することで構成できる。
【００２４】
したがって、操作パネル５０、接続ボックス５２、伝達手段第１，第２，第３，第４の接続コード部材の７つの部材を製作準備すれば６種類のレンジフードの操作装置とすることができる。
【００２５】
【発明の実施の形態】
（レンジフードの実施の形態）
図１に示すように、送風機を内蔵したフード本体１と、このフード本体１の上面１ａに着脱自在に取付けられる給排気ボックス２及び幕板３と、そのフード本体１の上面１ａ及び給排気ボックス２の上面２ａに着脱自在に取付けられる排気継手４と、前記給排気ボックス２の上面２ａに着脱自在に取付けられる給気継手５とでレンジフードとしてある。
【００２６】
前記フード本体１は前板１０と後板１１と左右の側板１２と上板１３とで下面を開口した箱状で、その上板１３の一方の側板１２寄りに排出口１４が形成してある。
【００２７】
前記フード本体１内には図２に示すように、仕切板１５が取付けてあり、この仕切板１５と上板１３とに亘ってフィルター１６が取付けられて吸引室１７を形成している。この吸引室１７内に送風機１８が取付けてある。この送風機１８はケース１９内にファン２０を設け、そのファン２０をケース１９に取付けた電動モータ２１で回転駆動するものである。このケース１９が上板１３に取付けられ、そのケース１９の出口１９ａが排出口１４と連続している。前記電動モータ２１は通電用のコネクター２１ａを備えている。
【００２８】
前記給排気ボックス２は図１に示すように、第１室２２と第２室２３を有する箱体で、その下縁にフランジ２４を備えている。前記第１室２２は下部開口２５で下面２ｂに開口し、かつ第１上部開口２６で上面２ａに開口して上面と下面に開口した排気用風路を構成している。前記第２室２３は第２上部開口２７で上面２ａに開口し、かつ前部開口２８で前面２ｃに開口して上面と前面に開口した給気用風路を構成している。
【００２９】
前記幕板３は縦板状で、前記前部開口２８と対向した給気口２９を有している。
【００３０】
前記排気継手４は図１に示すように筒体３０の一端開口縁にフランジ３１を一体的に設け、電動式排気シャッタ３２が取付けてある。この電動式排気シャッタ３２は電動モータ３３でシャッタ３４を回転して筒体３０を開閉するもので、電動モータ３３には通電用のコネクター３５が設けてある。前記給気継手５は筒体４０の一端開口縁にフランジ４１を一体的に設け、電動式給気シャッタ４２が取付けてある。この電動式給気シャッタ４２は電動モータ４３でシャッタ４４を回転して筒体４０を開閉するものであり、電動モータ４３には通電用のコネクター４５が設けてある。
【００３１】
このようであるから、電動式排気シャッタ付きの標準的レンジフードとする場合には図３に示すように、フード本体１の上板１３（上面１ａ）に排気継手４を、その筒体３０が排出口１４と連続して取付けると共に、幕板３を取付ける。
【００３２】
このようにすれば、送風機１８によって調理時に発生した廃ガスや油煙を室内の空気とともに吸引して排気用ダクト３６を経て室外に排出できるし、未使用時には電動式排気シャッタ３２を閉じて外気が室内に流入しないようにできる。なお、幕板３は図１に示す幕板３を取付けても良いし、給気口２９のない幕板３を取付けても良い。
【００３３】
また、電動式排気シャッタ、電動式給気シャッタ付きの給排気式レンジフードとする場合には図４と図５に示すように、フード本体１の上板１３（上面１ａ）に給排気ボックス２を、その下部開口２５が排出口１４と連続し、前部開口２８が幕板３の給気口２９と連続するように取付ける。
【００３４】
給排気ボックス２の上面２ａに排気継手４を第１上部開口２６と連続して取付けると共に、給気継手５を第２上部開口２７と連続して取付ける。
【００３５】
このようにすれば、送風機１８によって調理時に発生した廃ガスや油煙を室内の空気とともに吸引して給排気ボックス２の第１室２２、排気継手４、排気用ダクト３６を経て室外に排出できる。また、室内の空気が室外に排出されて室内の気圧が低下することで室外の空気が、給気用ダクト４６、給気継手５、給排気ボックス２の第２室２３、前部開口２８、幕板３の給気口２９より室内に流入する。しかも、未使用時に電動式排気シャッタ３２、電動式給気シャッタ４２を閉じて外気が室内に流入しないようにできる。
【００３６】
また、前記排気継手４と給気継手５とは同一高さとしてある。これにより、排気用ダクト３６と給気用ダクト４６を同一高さ位置で段差をつけずに取付け工事できるから、そのダクト取付工事がやり易い。
【００３７】
また、送風機１８の電動モータ２１に通電して送風機１８を駆動してレンジフードを使用する時には電動式排気、給気シャッタ３２，４２のシャッタ３４，４４を開位置する。また送風機１８の電動モータ２１に通電せずに送風機１８を停止してレンジフードを未使用の時には電動式排気・給気シャッタ３２，４２のシャッタ３４，４４を閉位置として外気が室内に流入しないようにする。
【００３８】
なお、幕板３の給気口２９は図６に示すように上部に形成しても良い。この場合には室外の空気が給排気ボックス２の前部開口２８より矢印のように流れて吸気口２９より室内に流入する。
【００３９】
また、図７に示すように排気継手４は常時連通で、給気継手５に電動式給気シャッタ４２を取付けても良い。このようにすれば標準的レンジフードと電動式給気シャッタ付きの給排気式レンジフードを組立できる。図８に示すように給気継手５は常時連通で、排気継手４に電動式排気シャッタ３２を取付けても良い。このようにすれば電動式排気シャッタ付きの標準的レンジフードと電動式排気シャッタ付きの給排気式レンジフードを組立できる。
【００４０】
次にレンジフードの操作装置を説明する。
図１に示すように、フード本体１の前板１０に操作パネル５０とランプ５１を取付け、フード本体１の内部に配線ボックス５２を取付ける。この配線ボックス５２はフード本体１の外部に取付けも良い。前記操作パネル５０は接続コード５３、コネクタ５４、コネクタ５５を介して配線ボックス５２に接続している。
【００４１】
前記操作パネル５０は停止スイッチ５６、弱運転スイッチ５７、中運転スイッチ５８、強運転スイッチ５９、ランプスイッチ６０を備えている。前記配線ボックス５２のコネクタ６１には送風機用接続コード６２のコネクタ６３が差し込み、抜き出自在に接続してあり、その送風機用接続コード６２のコネクター６４が図２に示す前記送風機１８の電動モータ２１のコネクター２１ａに接続される。
【００４２】
前記配線ボックス５２には接続コード部材６５が着脱自在に接続してある。この接続コード部材６５はコネクタ６６に電源接続コード６７、排気シャッタ用接続コード６８、給気シャッタ用接続コード６９がそれぞれ接続した第１の接続コード部材６５−１としてある。このコネクタ６６が配線ボックス５２のコネクタ７０に差し込み、抜き出して自在としてある。
【００４３】
前記電源接続コード６７のプラグ７１が図示しない電源コンセントに差し込み、抜き出し自在である。排気シャッタ用接続コード６８のコネクタ７２がコネクタ３５に差し込み、抜き出し自在である。前記給気シャッタ用接続コード６９のコネクタ７３がコネクタ４５に差し込み、抜き出し自在である。
【００４４】
前記操作パネル５０は図９に示すように、弱第１端子５７ａ、中第１端子５８ａ、強第１端子５９ａと弱第２端子５７ｂ、中第２端子５８ｂ、強第２端子５９ｂ及び、ランプ端子６０ａと電源端子７４を備え、各第１端子は送風機１８の電動モータ２１にそれぞれ接続し、各第２端子はそれぞれ接続している。
【００４５】
前記弱運転スイッチ５７、中運転スイッチ５８、強運転スイッチ５９のいずれか１つを押すと、その押したスイッチの第１・第２端子が電源端子７４に接続する。例えば中運転スイッチ５８を押すと図１０に太線で示すように中第１端子５８ａと中第２端子５８ｂが電源端子７４に接続する。
【００４６】
ランプスイッチ６０を押すとランプ端子６０ａと電源端子７４が接続してランプ５１が点燈する。また、停止スイッチ５６を押すと電源端子７４と接続していた端子が接続しなくなる。
【００４７】
前述のように給排気式レンジフードで電動式排気シャッタ３２と電動式給気シャッタ４２を備えている場合には前述の第１の接続コード部材６５−１を用いて図９に示すように各電動モータ３３，４３を配線ボックス５２に接続する。
【００４８】
このようであるから、前述のように中運転スイッチ５８を押すと図１０に太線で示すように電動式排気シャッタ３２の電動モータ３３、電動式給気シャッタ４２の電動モータ４３が電源接続コード６７の第１コード６７ａ、第２コード６７ｂに接続して各電動モータ３３，４３が駆動して各シャッタ３４，４４が開となる。
【００４９】
前記電源接続コード６７の第１コード６７ａと第２コード６７ｂはスイッチ７５を介して送風機１８の電動モータ２１に接続し、このスイッチ７５は電動式排気シャッタ３２のシャッタ３４が閉の時にはＯＦＦで開の時にＯＮとなる。
【００５０】
このために、中運転スイッチ５８を押しても電動式排気シャッタ３２の電動モータ３３のシャッタ３４が開となるまでには送風機１８の電動モータ２１に通電されず、そのシャッタ３４が開となるとスイッチ７５がＯＮして送風機１８の電動モータ２１に通電されて送風機１８が駆動する。
【００５１】
したがって、電動式排気シャッタ３２のシャッタ３４が閉の時には送風機１８が駆動しないので、送風機１８の吐出空気がシャッタ３４で行き止りとなって電動モータ２１に過負荷が作用することがない。
【００５２】
給排気式レンジフードで電動式給気シャッタ４２を備えたレンジフードの場合には、図７に示すように接続コード部材６５をコネクタ６６に電源接続コード６７と給気シャッタ用接続コード６９を接続した第３の接続コード部材６５−３とする。
【００５３】
なお、この場合のコネクタ６６は図１１に示すように排気シャッタ用接続コード６８が接続される部分に短絡路７６を有している。
【００５４】
給排気式レンジフード及び標準的レンジフードで電動式排気シャッタ３２を備えたレンジフードの場合には、図８に示すように接続コード部材６５を、コネクタ６６に電源接続コード６７と排気シャッタ用接続コード６８を接続した第２の接続コード部材６５−２とする。
【００５５】
なお、この場合のコネクタ６６は図１２に示すように接続される。
【００５６】
標準的レンジフードで電動式排気シャッタを備えていない場合には接続コード部材６５を電源接続コード６７を有する第４の接続コード部材６５−４とする。この場合には、図１３に示すように短絡路７６を有している。
【００５７】
以上の実施の形態では電動式排気シャッタ３２にスイッチ７５を設けたが、このスイッチ７５は設けなくとも良い。その場合にはコネクタ６６の短絡路７６が不要となる。
【００５８】
また、操作パネル５０をスイッチによって端子を機械的に接続、分離するようにしたが、この操作パネル５０は各スイッチをソフトタッチ式とすると共に、各スイッチからの信号をコントローラが判断して通電制御する電子制御方式としても良い。
【００５９】
また、操作パネル５０の各スイッチを操作した信号を配線ボックス５２に無線式で伝達しても良い。例えば操作パネル５０の各スイッチを操作した時に光を出力する発光器と、この発光器と対向して受光器を配線ボックス５２に取付ける。
【００６０】
【発明の効果】
請求項１に係る発明によれば、フード本体１の上面１ａに常時連通の排気継手４を取付ければ、常時連通の標準的レンジフードとなる。
フード本体１の上面１ａに電動式シャッタを有する排気継手４を取付ければ、電動式排気シャッタ付きの標準的レンジフードとなる。
フード本体１の上面に給排気ボックス２を取付け、その給排気ボックス２の上面２ａに常時連通の排気継手４、常時連通の給気継手５を取付ければ、常時連通の給排気式レンジフードとなる。
フード本体１の上面に給排気ボックス２を取付け、その給排気ボックス２の上面２ａに電動式シャッタを有する排気継手４、常時連通の給気継手５を取付ければ、電動式排気シャッター付きの給排気式レンジフードとなる。
フード本体１の上面に給排気ボックス２を取付け、その給排気ボックス２の上面に常時連通の排気継手４、電動式シャッタを有する給気継手５を取付ければ、電動式吸気シャッタ付きの給排気式レンジフードとなる。
フード本体１の上面に給排気ボックス２を取付け、その給排気ボックス２の上面に電動式シャッタを有する排気継手４、電動式シャッタを有する給気継手５を取付ければ、電動式排気・吸気シャッタ付きの給排気式レンジフードとなる。
【００６１】
このようであるから、フード本体１、給排気ボックス２、幕板３、常時連通の排気継手４、電動式シャッタを有する排気継手４、常時連通の給気継手５、電動式シャッタを有する給気継手５を製作し、それらを組立てることで常時連通の標準的レンジフード、電動式排気シャッタ付きの標準的レンジフード、常時連通の給排気式レンジフード、電動式排気シャッタ付きの給排気式レンジフード、電動式給気シャッタ付きの給排気式レンジフード、電動式吸気・排気シャッタ付きの給排気式レンジフードとすることができ、その管理が簡単となる。
また、フード本体１が共通であるから既設のレンジフードを簡単に他のレンジフードに変更できる。
【００６２】
また、電動式排気給気シャッタ付きの給排気式レンジフードの場合には操作パネル５０、配線ボックス５２、伝達手段と第１の接続コード部材６５−１を用いれば操作パネル５０を操作することで各電動モータに通電制御してレンジフードを運転できる。
【００６３】
また、電動式排気シャッタ付きの標準的レンジフード、電動式排気シャッタ付きの給排気式レンジフードの場合には操作パネル５０、配線ボックス５２、伝達手段と第２の接続コード部材６５−２を用いれば操作パネル５０を操作することで各電動モータに通電制御してレンジフードを運転できる。
【００６４】
また、電動式給気シャッタ付きの給排気式レンジフードの場合には操作パネル５０、配線ボックス５２、伝達手段と第３の接続コード部材６５−３を用いれば操作パネル５０を操作することで各電動モータに通電制御してレンジフードを運転できる。
【００６５】
また、常時連通の標準的レンジフード、常時連通の給排気式レンジフードの場合には操作パネル５０、配線ボックス５２、伝達手段と第４の接続コード部材６５−４を用いればレンジフードを運転できる。
【００６６】
これにより、常時連通の標準的レンジフード、常時連通の給排気式レンジフード、電動式排気シャッタ付きの標準的レンジフード、連動式排気シャッタ付きの給排気式レンジフード、電動式給気シャッタ付きの給排気式レンジフード、電動式排気給気シャッタ付きの給排気式レンジフードの６種類のレンジフードの操作装置を、操作パネル５０、接続ボックス５２、伝達手段を共通として第１，第２，第３，第４の接続コード部材のいずれかを選択することで構成できる。
【００６７】
したがって、操作パネル５０、接続ボックス５２、伝達手段第１，第２，第３，第４の接続コード部材の７つの部材を製作準備すれば６種類のレンジフードの操作装置とすることができる。
【図面の簡単な説明】
【図１】本発明の第１の実施の形態を示す分解斜視図である。
【図２】フード本体の断面図である。
【図３】標準的レンジフードの排気部分の断面図である。
【図４】給排気式レンジフードの排気部分の断面図である。
【図５】給排気式レンジフードの給気部分の断面図である。
【図６】幕板の他の例を示す断面図である。
【図７】本発明の第２の実施の形態を示す分解斜視図である。
【図８】本発明の第３の実施の形態を示す分解斜視図である。
【図９】操作装置の線図的構成説明図である。
【図１０】中運転スイッチを押した状態の説明図である。
【図１１】電動式給気シャッタを有するレンジフードの操作装置の線図的構成説明図である。
【図１２】電動式排気シャッタを有するレンジフードの操作装置の線図的構成説明図である。
【図１３】電動式シャッタを有しないレンジフードの操作装置の線図的構成説明図である。
【符号の説明】
１…フード本体、１ａ…上面、２…給排気ボックス、２ａ…上面、３…幕板、４…排気継手、５…給気継手、１４…排出口、１８…送風機、２１…電動モータ、２２…第１室、２３…第２室、２５…下部開口、２６…第１上部開口、２７…第２上部開口、２８…前部開口、２９…給気口、３２…電動式排気シャッタ、３３…電動モータ、４２…電動式給気シャッタ、４３…電動モータ、５０…操作パネル、５２…接続ボックス、６２…送風機用接続コード、６５…接続コード部材、６５−１…第１の接続コード部材、６５−２…第２の接続コード部材、６５−３…第３の接続コード部材、６５−４…第４の接続コード部材、６７…電源接続コード、６８…排気シャッタ用接続コード、６９…給気シャッタ用接続コード。
【図１】
0003658739.tif 000002
【図２】
0003658739.tif 000003
【図３】
0003658739.tif 000004
【図４】
0003658739.tif 000005
【図５】
0003658739.tif 000006
【図６】
0003658739.tif 000007
【図７】
0003658739.tif 000008
【図８】
0003658739.tif 000009
【図９】
0003658739.tif 000010
【図１０】
0003658739.tif 000011
【図１１】
0003658739.tif 000012
【図１２】
0003658739.tif 000013
【図１３】
0003658739.tif 000014